(57)【要約】【課題】例えばレシートとジャーナルのような２つの媒体を同時にプリントすることができ、これによりレシートおよびジャーナルの作成に要する時間を短縮して業務効率の向上が図れるプリンタを提供する。【解決手段】両面サーマル用紙３０を格納部Ａから引き出し、その両面サーマル用紙３０の表面３０ａに第１サーマルヘッド３１によりレシート用のプリントデータをプリントするとともに、同じプリントデータを第２サーマルヘッド３２により両面サーマル用紙３０の裏面３０ｂにプリントする。そして、プリント後の両面サーマル用紙３０の表面３０ａを剥離部材３３によって剥離し、剥離した表面３０ａのプリント済み領域をカットする。このカット片をレシートとして排出する。剥離により残る裏面はジャーナルとして回収部Ｂに巻き取り回収する。【選択図】図３
2011183700.tif 000002
【特許請求の範囲】
【請求項１】
表面と裏面との剥離が可能なプリント用媒体を格納する格納部と、
この格納部から引き出される前記プリント用媒体の表面に第１データをプリントする第１ヘッドと、
前記格納部から引き出される前記プリント用媒体の裏面に第２データをプリントする第２ヘッドと、
これら第１および第２ヘッドを経た前記プリント用媒体の表面を剥離する剥離手段と、
この剥離手段で剥離された表面のプリント済み領域を排出のためにカットするカッタと、
前記剥離手段の剥離により残る裏面を保存用として回収する回収部と、
を備えることを特徴とするプリンタ。
【請求項２】
前記プリント用媒体は、表面および裏面に感熱層を有する両面サーマル用紙であり、
前記第１ヘッドは、第１サーマルヘッドであり、
前記第２ヘッドは、第２サーマルヘッドである、
ことを特徴とする請求項１記載のプリンタ。
【請求項３】
前記プリント用媒体は、表面および裏面に感熱層を有するロール状の両面サーマル用紙であり、
前記第１ヘッドは、第１サーマルヘッドであり、
前記第２ヘッドは、第２サーマルヘッドであり、
前記カッタは、前記剥離手段で剥離された表面のプリント済み領域をレシートとしてカットし、
前記回収部は、前記剥離手段の剥離により残る裏面をジャーナルとして巻き取り回収する、
ことを特徴とする請求項１記載のプリンタ。
【請求項４】
前記第２データは、前記第１データと同じであることを特徴とする請求項１記載のプリンタ。
【請求項５】
前記プリント用媒体は、表面および裏面に感熱層を有し、蛇腹状に折り曲げ集積した両面サーマル用紙であり、
前記第１ヘッドは、第１サーマルヘッドであり、
前記第２ヘッドは、第２サーマルヘッドであり、
前記カッタは、前記剥離手段で剥離された表面のプリント済み領域をレシートとしてカットし、
前記回収部は、前記剥離手段の剥離により残る裏面をジャーナルとして蛇腹状に折り曲げ集積する、
ことを特徴とする請求項１記載のプリンタ。
【請求項６】
前記回収部は、前記格納部に隣接することを特徴とする請求項１ないし請求項５のいずれかに記載のプリンタ。
【発明の詳細な説明】
【技術分野】
【０００１】
この発明は、プリント用媒体にデータをプリントして例えばレシートおよびジャーナルを作成するプリンタに関する。
【背景技術】
【０００２】
ＰＯＳ端末などを利用した会計処理では、商品販売データをプリントしたレシートを発行して購入者に提供するとともに、同じ商品販売データをプリントしたジャーナルを店舗側に保存することが必須の業務となる。
【０００３】
このようなプリンタの例として、感熱層が形成されたサーマル用紙を用いるサーマルプリンタが知られている（例えば特許文献１）。
【発明の概要】
【発明が解決しようとする課題】
【０００４】
レシートおよびジャーナルを１台のプリンタで作成するためには、レシートとジャーナルを交互にプリントしなければならない。このため、レシートおよびジャーナルの作成に時間がかかり、業務効率の低下を招いてしまう。
【０００５】
この発明は、上記の事情を考慮したもので、例えばレシートとジャーナルのような２つの媒体を同時にプリントすることができ、これによりレシートおよびジャーナルの作成に要する時間を短縮して業務効率の向上が図れるプリンタを提供することを目的とする。
【課題を解決するための手段】
【０００６】
請求項１に係る発明のプリンタは、表面と裏面との剥離が可能なプリント用媒体を格納する格納部と、この格納部から引き出される前記プリント用媒体の表面に第１データをプリントする第１ヘッドと、前記格納部から引き出される前記プリント用媒体の裏面に第２データをプリントする第２ヘッドと、これら第１および第２ヘッドを経た前記プリント用媒体の表面を剥離する剥離手段と、この剥離手段で剥離された表面のプリント済み領域を排出のためにカットするカッタと、前記剥離手段の剥離により残る裏面を保存用として回収する回収部と、を備える。
【発明の効果】
【０００７】
この発明のプリンタによれば、例えばレシートとジャーナルのような２つの媒体を同時にプリントできる。これにより、レシートおよびジャーナルの作成に要する時間を短縮できて、業務効率の向上が図れる。
【図面の簡単な説明】
【０００８】
【図１】この発明の一実施形態に関わるＰＯＳ端末の概観を示す図。
【図２】図１のＰＯＳ端末の制御回路のブロック図。
【図３】同実施形態の構成を示す図。
【図４】同実施形態の作用を説明するためのフローチャート。
【図５】同実施形態の変形例の構成を示す図。
【発明を実施するための形態】
【０００９】
以下、この発明の一実施形態について図面を参照して説明する。まず、この発明に関わる商品販売データ処理装置たとえばＰＯＳ（Point Of Sales）端末の外観を図１に示す。  
ＰＯＳ端末１は、現金等を収容するためのドロワ２上に載置され、このドロワ２の引出し２ａの開閉を制御する。そして、ＰＯＳ端末１は、正面側にキーボード３、モードスイッチ４、カードリーダ５、およびオペレータ表示器６を有し、背面側に客面表示器７を有する。また、ＰＯＳ端末１は、オペレータ表示器６の隣り位置に、本願発明のプリンタ８を搭載している。このプリンタ８は、２つの媒体たとえばレシートおよびジャーナルをプリントするもので、上部のカバー８ａを開くことにより、プリント用媒体である後述の両面サーマル用紙３０または両面サーマル用紙４０を装填することができる。さらに、ＰＯＳ端末１は、コードスキャナ１０を有する。このコードスキャナ１０は、商品に付された商品ラベルに印刷されているバーコードや２次元コードを光学的に読取る。
【００１０】
このＰＯＳ端末１の制御回路を図２に示す。  
主制御部であるＣＰＵ２０に、バスライン２１を介して、ＲＯＭ２２、ＲＡＭ２３、時計回路２４、通信インタフェース２５、Ｉ／Ｏポート２６、キーボードコントローラ２７、表示コントローラ２８，２９、プリンタコントローラ５０、スキャナコントローラ５１を接続する。
【００１１】
ＲＯＭ２２は、ＣＰＵ２０が実行するプログラムなどの固定的データを記憶している。ＲＡＭ２３は、販売登録商品の売上データを登録処理するための記憶部として機能するとともに、商品に商品コードや価格などの商品情報が対応付けられた商品テーブル、カラー写真やカラー動画による複数のコマーシャル情報や顧客案内情報などを記憶している。時計回路２４は、現在の日時を計時する。通信インタフェース２５は、ＬＡＮなどの通信回線を通じて接続される上位のホスト装置とのデータ通信を制御する。Ｉ／Ｏポート２６は、上記モードスイッチ４から発せられるモード選択信号を取込んだり、上記ドロワ開放装置２ｂに対する駆動信号を出力する。キーボードコントローラ２７は、キーボード３の操作に応じたキー信号を取込む。表示コントローラ２８は、上記オペレータ表示器６を制御する。表示コントローラ２９は、上記客面表示器７を制御する。プリンタコントローラ５０は、上記プリンタ８を制御する。スキャナコントローラ５１は、上記コードスキャナ１０を制御する。
【００１２】
上記プリンタ８の構成を図３に示す。
【００１３】
Ａは格納部で、表面と裏面との剥離が可能なプリント用媒体たとえばロール状の両面サーマル用紙３０を格納する。この格納部Ａにおける両面サーマル用紙３０の装填および取り外しは、上記カバー８ａを開くことにより可能である。
【００１４】
格納部Ａに両面サーマル用紙３０が装填されると、その両面サーマル用紙３０の先端が格納部Ａから所定量だけ引き出されて搬送される。この引き出された両面サーマル用紙３０を上下に挟んで相対向する位置に、第１サーマルヘッド３１および第２サーマルヘッド３２を配置する。第１サーマルヘッド３１は、両面サーマル用紙３０の表面３０ａに、第１データをプリントする。この第１データは、レシート用のプリントデータである。第２サーマルヘッド３２は、両面サーマル用紙３０の裏面３０ｂに、第２データをプリントする。第２データは、第１データと同じプリントデータである。
【００１５】
プリント待機時、両面サーマル用紙３０は、第１および第２サーマルヘッド３１，３２の相互間に進入したところで待機する。
【００１６】
プリントが始まると、第１および第２サーマルヘッド３１，３２を経た両面サーマル用紙３０の先端が、くさび状の剥離部材３３に当接する。剥離部材３３は、送られてくる両面サーマル用紙３０と向き合う側に鋭角なエッジ部を有し、そのエッジ部が両面サーマル用紙３０の搬送に伴って同両面サーマル用紙３０の表面３０ａと裏面３０ｂとの間に滑るように入り込むことにより、表面３０ａを剥離する。剥離部材３３の具体例として、例えば特開２００１−２６１２２６号公報に記載のものが知られている。
【００１７】
剥離部材３３で剥離された表面３０ａはカッタ３４に達する。カッタ３４は、表面（レシート面）３０ａのプリント済み領域をレシートとしてかつ排出のためにカットする。
【００１８】
剥離部材３３の剥離により残る裏面（ジャーナル面）３０ｂは、ローラ３５，３６，３７により回収部Ｂに導かれる。回収部Ｂは、上記格納部Ａと隣接する位置に配置され、裏面（ジャーナル面）３０ｂを保存用のジャーナルとして巻き取り回収する。
【００１９】
このプリンタ８の作用を図４のフローチャートを参照しながら説明する。  
ＰＯＳ端末１における係員の操作によって商品販売の決済が終了すると（ステップ１０１のＹＥＳ）、ＣＰＵ２０は、その商品販売に関するレシート用のプリントデータを生成し、それをプリンタコントローラ５０へ供給する。プリンタコントローラ５０は、供給されるプリントデータを第１サーマルヘッド３１および第２サーマルヘッド３２に送る。第１サーマルヘッド３１は、送られてきたプリントデータを両面サーマル用紙３０の表面（レシート面）３０ａにプリントする（ステップ１０２）。第２サーマルヘッド３２は、送られてきたプリントデータを両面サーマル用紙３０の裏面（ジャーナル面）３０ｂにプリントする（ステップ１０３）。
【００２０】
第１および第２サーマルヘッド３１，３２でのプリントが終了した両面サーマル用紙３０の先端は、剥離部材３３に当接する。この当接およびその後の両面サーマル用紙３０の搬送により、剥離部材３３のエッジ部が両面サーマル用紙３０の表面３０ａと裏面３０ｂとの間に滑るように入り込み、表面３０ａが剥離される。
【００２１】
剥離された表面（レシート面）３０ａのプリント済み領域は、カッタ３４でカットされる（ステップ１０４）。カット片は、レシートとして、ＰＯＳ端末１から排出される。剥離部材３３の剥離により残った裏面３０ｂは、ジャーナルとして回収部Ｂにロール状に巻き取り回収される（ステップ１０５）。
【００２２】
このように、レシート用のプリントデータを両面サーマル用紙３０の表面（レシート面）３０ａおよび裏面（ジャーナル面）３０ｂに同時にプリントし、プリント後の表面３０ａを剥離およびカットしてレシートとして排出するとともに、剥離によって残る裏面（ジャーナル面）３０ｂをジャーナルとして回収部Ｂに回収することにより、レシートおよびジャーナルの作成に要する時間を短縮できる。結果として、ＰＯＳ端末１による商品販売業務の効率が大幅に向上する。
【００２３】
回収部Ｂに巻き取り回収されるジャーナルは、回収が進むに従ってロール径が増えていくが、裏面３０ｂのみの巻き取りなので、そのロール径は両面サーマル用紙３０のロール径のほぼ半分程度である。したがって、回収部Ｂの占有スペースをできるだけ小さく抑えることができる。
【００２４】
しかも、回収部Ｂに隣接する格納部Ａ内の両面サーマル用紙３０は使用が進むに従ってロール径が減少していくので、その減少分によってジャーナルのロール径の増加分を吸収できる。したがって、格納部Ａと回収部Ｂとの間の壁を取り除いて両空間を連通状態とすることにより、回収部Ｂの占有スペースをさらに縮減できる。
【００２５】
また、第１および第２サーマルヘッド３１，３２は同じプリントデータをプリントするので、ＰＯＳ端末１のＣＰＵ２０からプリンタコントローラ５０へのデータ転送量が少なくてすむ。これにより、ＣＰＵ２０およびプリンタコントローラ５０の制御負担を軽減できて、ＣＰＵ２０およびプリンタコントローラ５０の処理速度が向上するとともに、軽減分を他の制御に活用することができる。
【００２６】
プリンタ８の変形例を図５に示す。  
格納部Ａおよび回収部Ｂに代えて格納・回収部Ｃを採用する。格納・回収部Ｃは、表面と裏面との剥離が可能なプリント用媒体である両面サーマル用紙４０を蛇腹状に折り曲げ集積する格納部を上部空間に有し、後述の裏面（ジャーナル面）４０ｂを蛇腹状に折り曲げ集積した回収部を下部空間に有する。格納部には、両面サーマル用紙４０を載置するためのトレイ４１、このトレイ４１に上方への偏倚力を与えるスプリング４２を配置している。回収部には、上記トレイ４１の下面側にスプリング４３を介して揺動板４４を配置している。スプリング４３は、揺動板４４に上方への偏倚力を与える。揺動板４４は、剥離部材３３から導かれる裏面（ジャーナル面）４０ｂの自重と同裏面（ジャーナル面）４０ｂの各ミシン目でのテンション変化とのバランスにより、図示矢印で示すように上下方向に揺動を繰り返す。裏面（ジャーナル面）４０ｂは、揺動板４４の揺動に伴い、回収空間内で蛇腹状に折り曲がりながら落下し、集積される。
【００２７】
上記ミシン目は、両面サーマル用紙４０の搬送方向に沿う一定間隔の位置に、かつその両面サーマル用紙４０の搬送方向と直行する幅方向に、それぞれ形成されている。
【００２８】
プリント待機時、両面サーマル用紙４０は、第１および第２サーマルヘッド３１，３２の相互間に進入したところで待機する。プリントが始まると、第１および第２サーマルヘッド３１，３２を経た両面サーマル用紙４０の先端が剥離部材３３に当接する。剥離部材３３は、送られてくる両面サーマル用紙４０の表面４０ａと裏面４０ｂとの間に滑るように入り込むことにより、表面４０ａを剥離する。剥離された表面（レシート面）４０ａはプリント済み領域がカッタ３４でカットされ、そのカット片がレシートとして排出される。
【００２９】
剥離部材３３の剥離により残る裏面（ジャーナル面）４０ｂは、ローラ３５，３６およびガイド部材３８により回収部の揺動板４４に導かれる。回収部は、裏面（ジャーナル面）４０ｂを保存用のジャーナルとして蛇腹状に折り曲げ集積する。
【００３０】
回収部に回収されるジャーナルは、回収が進むに従って高さが増していくが、裏面３０ｂのみの集積なので、その高さは格納部における両面サーマル用紙４０の高さのほぼ半分程度である。したがって、回収部の容量をできるだけ小さく抑えることができる。
【００３１】
しかも、格納部内の両面サーマル用紙４０は使用が進むに従って高さが減少していくので、その減少分によってジャーナルの高さの増加分を吸収できる。この点でも、回収部の容量をさらに縮減することが可能である。
【００３２】
なお、上記実施形態では、２つの媒体としてレシートおよびジャーナルを作成する場合を例に説明したが、レシートに限らず領収書やクーポンを作成して排出してもよい。また、ＰＯＳ端末に搭載されるプリンタを例に説明したが、ＰＯＳ端末に限らず、他の電子機器に搭載されるプリンタであっても、同様に実施できる。その他、この発明は上記実施形態に限定されるものではなく、要旨を変えない範囲で種々変形実施可能である。
【符号の説明】
【００３３】
１…ＰＯＳ端末、８…プリンタ、２０…ＣＰＵ、５０…プリンタコントローラ、Ａ…格納部、Ｂ…回収部、Ｃ…格納・回収部、３０…両面サーマル用紙（プリント用媒体）、３０ａ…表面、３０ｂ…裏面、３１…第１サーマルヘッド、３２…第２サーマルヘッド、３３…剥離部材、３４…カッタ、３５，３６，３７…ローラ、４０…両面サーマル用紙（プリント用媒体）、４０ａ…表面、４０ｂ…裏面、４１…トレイ、４２…スプリング、４３…スプリング、４４…揺動板
【先行技術文献】
【特許文献】
【００３４】
【特許文献１】特開２００１−７１５６９号公報
【図１】
2011183700.tif 000003
【図２】
2011183700.tif 000004
【図３】
2011183700.tif 000005
【図４】
2011183700.tif 000006
【図５】
2011183700.tif 000007